(57)【要約】【課題】  インクが擦れて落ちないように、記録媒体に画像を記録することができる記録装置、記録方法、およびプログラムを提供すること。【解決手段】  画像を記録した後の記録媒体の面が擦られる可能性の高い記録モードにおいては、その記録媒体の面の少なくとも一部に画像を記録するために付与する顔料の量を少なく抑えるように、使用するインクの種類を制限する。【選択図】  図３
2005035223.tif 000002
【特許請求の範囲】
【請求項１】
顔料を含有する顔料インクおよび染料を含有する染料インクの少なくとも一方を用いて、記録媒体に画像を記録する記録装置であって、
前記記録媒体の片面に対して記録を行う片面記録モードと、前記記録媒体の両面に対して記録を行う両面記録モードとを実行可能な記録制御手段を備え、
前記記録制御手段は、前記両面記録モードを実行する場合、前記記録媒体の両面のうち、少なくとも先に記録される面に対し前記顔料インクを用いずに前記染料インクのみを用いて記録を行うことを特徴とする記録装置。
【請求項２】
前記記録制御手段は、前記両面記録モードを実行する場合、前記記録媒体の両面に対し前記顔料インクを用いずに前記染料インクのみを用いて記録を行うことを特徴とする請求項１に記載の記録装置。
【請求項３】
前記記録制御手段は、前記両面記録モードを実行する場合、前記記録媒体の両面のうち、後に記録される面に対し前記顔料インクと前記染料インクを併用して記録を行うことを特徴とする請求項１に記載の記録装置。
【請求項４】
顔料を含有する顔料インクおよび染料を含有する染料インクの少なくとも一方を用いて、記録媒体に画像を記録する記録装置であって、
前記記録媒体の片面に対して記録を行う片面記録モードと、前記記録媒体の両面に対して記録を行う両面記録モードとを実行可能な記録制御手段を備え、
前記記録制御手段は、前記両面記録モードを実行する場合、前記記録媒体の両面のうち、少なくとも先に記録される面の特定部分に対し前記顔料インクを用いずに前記染料インクのみを用いて記録を行うことを特徴とする記録装置。
【請求項５】
前記記録制御手段は、前記記録媒体の両面あるいは先に記録される面に対して記録を行うに際し、前記顔料インクを用いて記録されるべき画像部分の少なくとも一部分を、前記染料インクを用いて記録を行うことを特徴とする請求項１から４のいずれかに記載の記録装置。
【請求項６】
顔料を含有する顔料インクおよび染料を含有する染料インクの少なくとも一方を用いて、記録媒体に画像を記録する記録装置であって、
前記記録媒体の片面に対して記録を行う片面記録モードと、前記記録媒体の両面に対して記録を行う両面記録モードとを実行可能な記録制御手段を備え、
前記記録制御手段は、前記両面記録モードを実行する場合、前記顔料インクを用いて記録されるべき画像部分のうちの一部分を前記染料インクにて代用して記録を行うことを特徴とする記録装置。
【請求項７】
顔料を含有する顔料インクおよび染料を含有する染料インクの少なくとも一方を用いて、記録媒体の記録面に対して画像を記録する記録装置であって、
前記記録媒体の片面に対して記録を行う片面記録モードと、前記記録媒体の両面に対して記録を行う両面記録モードとを実行可能な記録制御手段を備え、
前記記録制御手段は、前記両面記録モードを実行する場合、少なくとも先に記録される記録面に対する前記染料インクの使用量は前記片面記録モードに比べて低減させず且つ前記顔料インクの使用量は前記片面記録モードに比べて低減させて、前記少なくとも先に記録される面に対して記録を行うことを特徴とする記録装置。
【請求項８】
前記記録制御手段は、顔料インクを用いて記録されるべき画像部分の少なくとも一部分を染料インクで代用して前記染料インクの使用量を増加させることを特徴とする請求項７に記載の記録装置。
【請求項９】
前記記録制御手段は、前記片面記録モードを実行する場合、前記記録媒体の面に対して前記顔料インクと前記染料インクの両方を用いて記録を行うことを特徴とする請求項１から８のいずれかに記載の記録装置。
【請求項１０】
前記顔料インクはブラックインクを含み、前記染料インクは、シアンインク、マゼンタインク、イエローインクおよびブラックインクの少なくとも１つを含むことを特徴とする請求項１から９のいずれかに記載の記録装置。
【請求項１１】
前記記録制御手段は、顔料ブラックインクを用いて記録されるべき画像部分の少なくとも一部分を、染料シアンインク、染料マゼンタインクおよび染料イエローインクを用いて記録を行うことを特徴とする請求項５、６または８に記載の記録装置。
【請求項１２】
前記記録制御手段は、顔料ブラックインクを用いて記録されるべき画像部分の少なくとも一部分を、染料ブラックインクを用いて記録を行うことを特徴とする請求項５、６または８に記載の記録装置。
【請求項１３】
顔料を含有する顔料インクおよび染料を含有する染料インクの少なくとも一方を用いて、記録媒体に画像を記録する記録方法であって、
前記記録媒体の片面に対して記録を行う片面記録モードと、前記記録媒体の両面に対して記録を行う両面記録モードのうち、いずれかの記録モードを選択する選択工程と、
前記選択工程において前記両面記録モードが選択された場合、前記記録媒体の両面のうち、少なくとも先に記録される面に対し前記顔料インクの使用を制限して記録を行うための画像データを作成し、前記選択工程において前記片面記録モードが選択された場合、前記顔料インクの使用を制限せずに記録を行うための画像データを作成するデータ作成工程と、
前記データ作成工程において作成された画像データに基づき前記記録媒体に対する記録を行う記録工程と、
を有することを特徴とする記録方法。
【請求項１４】
顔料を含有する顔料インクおよび染料を含有する染料インクの少なくとも一方を用いて、記録媒体に画像を記録する記録方法であって、
前記記録媒体の片面に対して記録を行う片面記録モードと、前記記録媒体の両面に対して記録を行う両面記録モードのうち、いずれかの記録モードを選択する選択工程と、
前記選択工程において前記両面記録モードが選択された場合、前記記録媒体の両面のうち、少なくとも先に記録される面の特定部分に対し前記顔料インクの使用を制限して記録を行うための画像データを作成し、前記選択工程において前記片面記録モードが選択された場合、前記顔料インクの使用を制限せずに記録を行うための画像データを作成するデータ作成工程と、
前記データ作成工程において作成された画像データに基づき前記記録媒体に対する記録を行う記録工程と、
を有することを特徴とする記録方法。
【請求項１５】
顔料を含有する顔料インクおよび染料を含有する染料インクの少なくとも一方を用いて、記録媒体に画像を記録する記録方法であって、
前記記録媒体の片面に対して記録を行う片面記録モードと、前記記録媒体の両面に対して記録を行う両面記録モードのうち、いずれかの記録モードを選択する選択工程と、
前記選択工程において前記両面記録モードが選択された場合、前記顔料インクを用いて記録されるべき画像部分のうちの一部分を前記染料インクにて代用して記録を行うための画像データを作成し、前記選択工程において前記片面記録モードが選択された場合、前記顔料インクを用いて記録されるべき画像部分のうちの一部分を前記染料インクでは代用せずに記録を行うための画像データを作成するデータ作成工程と、
前記データ作成工程において作成された画像データに基づき前記記録媒体に対する記録を行う記録工程と、
を有することを特徴とする記録方法。
【請求項１６】
顔料を含有する顔料インクおよび染料を含有する染料インクの少なくとも一方を用いて記録媒体に画像を記録する記録装置へ供給するための画像データを作成するプログラムであって、
前記記録媒体の片面に対して記録を行う片面記録モードと、前記記録媒体の両面に対して記録を行う両面記録モードのうち、選択された記録モードに応じたデータを作成するデータ作成ステップを含み、
前記データ作成ステップでは、前記両面記録モードが選択された場合、前記記録媒体の両面のうち、少なくとも先に記録される面に対し前記顔料インクを用いずに前記染料インクのみを用いて記録を行うための画像データを作成することを特徴とする、コンピュータで実行可能なプログラム。
【請求項１７】
顔料を含有する顔料インクおよび染料を含有する染料インクの少なくとも一方を用いて記録媒体に画像を記録する記録装置へ供給するための画像データを作成するプログラムであって、
前記記録媒体の片面に対して記録を行う片面記録モードと、前記記録媒体の両面に対して記録を行う両面記録モードのうち、選択された記録モードに応じたデータを作成するデータ作成ステップを含み、
前記データ作成ステップでは、前記両面記録モードが選択された場合、前記記録媒体の両面のうち、少なくとも先に記録される面の特定部分に対し前記顔料インクを用いずに前記染料インクのみを用いて記録を行うための画像データを作成することを特徴とする、コンピュータで実行可能なプログラム。
【請求項１８】
顔料を含有する顔料インクおよび染料を含有する染料インクの少なくとも一方を用いて記録媒体に画像を記録する記録装置へ供給するための画像データを作成するプログラムであって、
前記記録媒体の片面に対して記録を行う片面記録モードと、前記記録媒体の両面に対して記録を行う両面記録モードのうち、選択された記録モードに応じたデータを作成するデータ作成ステップを含み、
前記データ作成ステップでは、前記両面記録モードが選択された場合、前記顔料インクを用いて記録されるべき画像部分のうちの一部分を前記染料インクにて代用して記録を行うための画像データを作成し、前記片面記録モードが選択された場合、前記顔料インクを用いて記録されるべき画像部分のうちの一部分を前記染料インクでは代用せずに記録を行うための画像データを作成することを特徴とする、コンピュータで実行可能なプログラム。
【発明の詳細な説明】
【技術分野】
【０００１】
本発明は、少なくとも１種類の顔料インクおよび少なくとも１種類の染料インクを含む複数種のインクを用いて、記録シートの両面に対する記録を行う両面記録モードを少なくとも含む複数の記録モードによって記録媒体に画像を記録する記録装置、記録方法、およびプログラムに関するものである。
【背景技術】
【０００２】
従来、プリンタや複写機等を構成する記録装置は、記録情報に基づいて被記録材（以下、「記録媒体」という）上に画像を記録するように構成されている。このような記録装置は、記録方式によって、インクジェット記録方式、ワイヤードット記録方式、熱転写記録方式、レーザービーム記録方式等に分けることができる。インクジェット記録方式の記録装置（インクジェット記録装置）は、記録手段（記録ヘッド）から記録媒体に向けてインクを吐出して記録を行うものであり、記録手段のコンパクト化が容易であること、高精細な画像を高速度で記録することができること、ランニングコストが安いこと、ノンインパクト方式であるために騒音が少ないこと、さらに、多色のインクを使用してのカラー画像の記録が容易であること、等の利点を有している。
【０００３】
このようなインクジェット記録装置に使用されるインクとしては、従来より、各種の水溶性染料を、水もしくは水と有機溶剤との混合液に溶解させた染料インクが使用されてきた。しかしながら、染料インクによる記録画像は、耐光性等の画像堅牢性において若干劣る傾向がある。
【０００４】
そこで、顔料を高分子分散剤に分散させた顔料分散液を、水溶性溶剤に溶解させた顔料インクが使用されるようになってきた。顔料インクは、耐水性等の画像堅牢性において染料インクより優れた特性をもつ。顔料は、発色剤の粒子が染料に比べて大きいため、普通紙等の記録媒体の繊維の奥に浸透しにくく、その表面近くで停滞する。そのため、記録濃度が濃くなり、周囲への浸透も少なくなって、画像の境界がくっきりと明瞭に記録される。しかし、現状では、ブラック以外の顔料インクは発色性の点で染料インクに比べて若干劣るため、多くのインクジェット記録装置においては、ブラックインクのみに顔料インクを使用し、シアン、マゼンタ、イエロー等のカラーインクには染料インクを使用している。
【０００５】
一方、近年ではエコロジー運動が盛んとなり、その対策の一環として紙資源を大切にする観点から、記録装置に対して記録媒体の両面に記録する機能（両面記録モード）が望まれるようになってきた。
【０００６】
このような両面記録モードについて開示した特許文献として、例えば、特許文献１がある。この特許文献１は、記録媒体の両面に記録する両面記録の際に生じる裏写りの抑制対策として提案されたものであり、詳しくは、両面記録モードの際、片面記録モードよりも記録濃度を低くすることで裏写りを抑制している。
【０００７】
【特許文献１】特開平７−３１４７３４号公報
【発明の開示】
【発明が解決しようとする課題】
【０００８】
ところで、顔料インクは記録媒体の表面付近に定着するため、両面記録を行ったとしても裏写りはそれ程生じない。しかしながら、顔料インクは染料インクに比べて耐擦過性が劣るため、両面記録の際には、顔料インクが擦り取られてしまう可能性が高い。すなわち、両面記録では、記録媒体の表面に対する記録終了後に当該記録媒体が反転され、記録済み面が搬送経路と接しながら搬送されていくため、記録済み面に記録された顔料インクが擦り取られやすいのである。従って、顔料インクを使用して両面記録モードを実施する場合には、顔料インクの擦れ落ちを抑制する手法を考える必要がある。
【０００９】
しかしながら、上記特許文献１には、顔料インクを用いた場合の両面記録モードについて開示されておらず、また、両面記録モード時におけるインクの擦れ落ち抑制手法についても開示されていない。また、特許文献１には、顔料インクと染料インクを用いた形態について開示されておらず、特に、顔料インクと染料インクを用いた場合の好ましい両面記録モードについて開示されていない。すなわち、顔料インクと染料インクを用いた際の両面記録モードにおける顔料インクの擦れ落ち抑制手法について何ら開示されていない。
【００１０】
本発明の目的は、顔料インクと染料インクを用いて両面記録を行う場合において、極力インクが擦れて落ちないようにし、記録媒体や記録装置内部の汚染を抑制できる記録装置、記録方法、およびプログラムを提供することにある。
【課題を解決するための手段】
【００１１】
本発明の記録装置は、顔料を含有する顔料インクおよび染料を含有する染料インクの少なくとも一方を用いて、記録媒体に画像を記録する記録装置であって、前記記録媒体の片面に対して記録を行う片面記録モードと、前記記録媒体の両面に対して記録を行う両面記録モードとを実行可能な記録制御手段を備え、前記記録制御手段は、前記両面記録モードを実行する場合、前記記録媒体の両面のうち、少なくとも先に記録される面に対し前記顔料インクを用いずに前記染料インクのみを用いて記録を行うことを特徴とする。
【００１２】
本発明の記録装置は、顔料を含有する顔料インクおよび染料を含有する染料インクの少なくとも一方を用いて、記録媒体に画像を記録する記録装置であって、前記記録媒体の片面に対して記録を行う片面記録モードと、前記記録媒体の両面に対して記録を行う両面記録モードとを実行可能な記録制御手段を備え、前記記録制御手段は、前記両面記録モードを実行する場合、前記記録媒体の両面のうち、少なくとも先に記録される面の特定部分に対し前記顔料インクを用いずに前記染料インクのみを用いて記録を行うことを特徴とする。
【００１３】
本発明の記録装置は、顔料を含有する顔料インクおよび染料を含有する染料インクの少なくとも一方を用いて、記録媒体に画像を記録する記録装置であって、前記記録媒体の片面に対して記録を行う片面記録モードと、前記記録媒体の両面に対して記録を行う両面記録モードとを実行可能な記録制御手段を備え、前記記録制御手段は、前記両面記録モードを実行する場合、前記顔料インクを用いて記録されるべき画像部分のうちの一部分を前記染料インクにて代用して記録を行うことを特徴とする。
【００１４】
本発明の記録装置は、顔料を含有する顔料インクおよび染料を含有する染料インクの少なくとも一方を用いて、記録媒体の記録面に対して画像を記録する記録装置であって、前記記録媒体の片面に対して記録を行う片面記録モードと、前記記録媒体の両面に対して記録を行う両面記録モードとを実行可能な記録制御手段を備え、前記記録制御手段は、前記両面記録モードを実行する場合、少なくとも先に記録される記録面に対する前記染料インクの使用量は前記片面記録モードに比べて低減させず且つ前記顔料インクの使用量は前記片面記録モードに比べて低減させて、前記少なくとも先に記録される面に対して記録を行うことを特徴とする。
【００１５】
本発明の記録方法は、顔料を含有する顔料インクおよび染料を含有する染料インクの少なくとも一方を用いて、記録媒体に画像を記録する記録方法であって、前記記録媒体の片面に対して記録を行う片面記録モードと、前記記録媒体の両面に対して記録を行う両面記録モードのうち、いずれかの記録モードを選択する選択工程と、前記選択工程において前記両面記録モードが選択された場合、前記記録媒体の両面のうち、少なくとも先に記録される面に対し前記顔料インクの使用を制限して記録を行うための画像データを作成し、前記選択工程において前記片面記録モードが選択された場合、前記顔料インクの使用を制限せずに記録を行うための画像データを作成するデータ作成工程と、前記データ作成工程において作成された画像データに基づき前記記録媒体に対する記録を行う記録工程と、を有することを特徴とする。
【００１６】
本発明の記録方法は、顔料を含有する顔料インクおよび染料を含有する染料インクの少なくとも一方を用いて、記録媒体に画像を記録する記録方法であって、前記記録媒体の片面に対して記録を行う片面記録モードと、前記記録媒体の両面に対して記録を行う両面記録モードのうち、いずれかの記録モードを選択する選択工程と、前記選択工程において前記両面記録モードが選択された場合、前記記録媒体の両面のうち、少なくとも先に記録される面の特定部分に対し前記顔料インクの使用を制限して記録を行うための画像データを作成し、前記選択工程において前記片面記録モードが選択された場合、前記顔料インクの使用を制限せずに記録を行うための画像データを作成するデータ作成工程と、前記データ作成工程において作成された画像データに基づき前記記録媒体に対する記録を行う記録工程と、を有することを特徴とする。
【００１７】
本発明の記録方法は、顔料を含有する顔料インクおよび染料を含有する染料インクの少なくとも一方を用いて、記録媒体に画像を記録する記録方法であって、前記記録媒体の片面に対して記録を行う片面記録モードと、前記記録媒体の両面に対して記録を行う両面記録モードのうち、いずれかの記録モードを選択する選択工程と、前記選択工程において前記両面記録モードが選択された場合、前記顔料インクを用いて記録されるべき画像部分のうちの一部分を前記染料インクにて代用して記録を行うための画像データを作成し、前記選択工程において前記片面記録モードが選択された場合、前記顔料インクを用いて記録されるべき画像部分のうちの一部分を前記染料インクでは代用せずに記録を行うための画像データを作成するデータ作成工程と、前記データ作成工程において作成された画像データに基づき前記記録媒体に対する記録を行う記録工程と、を有することを特徴とする。
【００１８】
本発明のコンピュータで実行可能なプログラムは、顔料を含有する顔料インクおよび染料を含有する染料インクの少なくとも一方を用いて記録媒体に画像を記録する記録装置へ供給するための画像データを作成するプログラムであって、前記記録媒体の片面に対して記録を行う片面記録モードと、前記記録媒体の両面に対して記録を行う両面記録モードのうち、選択された記録モードに応じたデータを作成するデータ作成ステップを含み、前記データ作成ステップでは、前記両面記録モードが選択された場合、前記記録媒体の両面のうち、少なくとも先に記録される面に対し前記顔料インクを用いずに前記染料インクのみを用いて記録を行うための画像データを作成することを特徴とする。
【００１９】
本発明のコンピュータで実行可能なプログラムは、顔料を含有する顔料インクおよび染料を含有する染料インクの少なくとも一方を用いて記録媒体に画像を記録する記録装置へ供給するための画像データを作成するプログラムであって、前記記録媒体の片面に対して記録を行う片面記録モードと、前記記録媒体の両面に対して記録を行う両面記録モードのうち、選択された記録モードに応じたデータを作成するデータ作成ステップを含み、前記データ作成ステップでは、前記両面記録モードが選択された場合、前記記録媒体の両面のうち、少なくとも先に記録される面の特定部分に対し前記顔料インクを用いずに前記染料インクのみを用いて記録を行うための画像データを作成することを特徴とする。
【００２０】
本発明のコンピュータで実行可能なプログラムは、顔料を含有する顔料インクおよび染料を含有する染料インクの少なくとも一方を用いて記録媒体に画像を記録する記録装置へ供給するための画像データを作成するプログラムであって、前記記録媒体の片面に対して記録を行う片面記録モードと、前記記録媒体の両面に対して記録を行う両面記録モードのうち、選択された記録モードに応じたデータを作成するデータ作成ステップを含み、前記データ作成ステップでは、前記両面記録モードが選択された場合、前記顔料インクを用いて記録されるべき画像部分のうちの一部分を前記染料インクにて代用して記録を行うための画像データを作成し、前記片面記録モードが選択された場合、前記顔料インクを用いて記録されるべき画像部分のうちの一部分を前記染料インクでは代用せずに記録を行うための画像データを作成することを特徴とする。
【発明の効果】
【００２１】
本発明によれば、顔料インクと染料インクを用いて両面記録を行う場合であっても、インクの擦れ落ちを低減して装置内部や記録媒体の汚染を低減しつつも、記録濃度の低下を抑制することができる。
【発明を実施するための最良の形態】
【００２２】
以下、本発明の実施形態を図面に基づいて説明する。  
なお、本明細書において、記録シートの「表面」とは先に記録される面のことを指し、一方、記録シートの「裏面」とは後で記録される面のことを指す。
【００２３】
（第１の実施形態）
図１は、本発明に係るインクジェット記録装置の構成例を示す断面図である。  
図１において１は、記録媒体である記録シート２を多数枚積載可能な給紙スタッカ部である。この給紙スタッカ部１に積載された記録シート２は、給紙モータ１０６（図２参照）により回転駆動される給紙ローラ３によって、その最上位のものから１枚ずつ分離されて記録シート搬送部に搬送される。記録シート２は、搬送部の上ガイド４と下ガイド５との間の空間を経て、搬送モータ１０７（図２参照）によって回転駆動される搬送ローラ６と、ピンチローラ７との間に挟持されて、記録ヘッドに対向する記録位置まで搬送される。搬送ローラ６は、記録位置において記録シート２を図１中左方の副走査方向に所定量ずつ搬送する。記録位置においては、記録シート２上に画像を記録する記録手段としての記録ヘッド８がキャリッジ９に着脱自在に搭載されている。キャリッジ９は、ガイド軸１０およびガイドレール１１によって、副走査方向と直交し、かつ記録シート２の面に平行な図１中紙面の表裏方向の主走査方向に移動自在に支持されている。キャリッジ９は、キャリッジモータ１０８（図２参照）の駆動力によって主走査方向に往復移動される。
【００２４】
記録ヘッド８は、インク吐出口からインクを吐出可能インクジェット記録ヘッドである。インクの吐出方式としては、電気熱変換体またはピエゾ素子などの吐出エネルギー発生手段を用いた種々の方式を採用することができる。電気熱変換体を用いる場合には、インク流路に発熱抵抗体としての電気熱変換体を備え、それが発生する熱エネルギーを利用してインクを沸騰させ、そのときの発泡エネルギーを利用して吐出口からインクを吐出することができる。キャリッジ９には、記録ヘッド８と共に、その記録ヘッド８にインクを供給するためのインクタンク１２が搭載されている。インクタンク１２は、記録ヘッド８に対して着脱自在とされている。したがって、記録動作によってインクタンク１２内のインクが無くなった場合には、そのインクタンク１２を交換することにより、記録動作を続行することができる。インクタンク１２には、ブラックインク（Ｋインク）と、シアン（Ｃインク），マゼンタ（Ｍインク），イエロー（Ｙインク）などのカラーインクが収容され、これらのインクは、対応する記録ヘッド８の吐出口から吐出される。
【００２５】
記録ヘッド８は、各色のインクに対応する吐出口が形成された１つの記録ヘッド、あるいは各色毎のインクまたは複数色毎のインクに対応する吐出口が別々に形成された複数の記録ヘッドであってもよい。またインクタンク１２は、ブラックインクの収容部と、シアン，マゼンタ，イエローなどのカラーインクの収容部とを一体的に備えた一体構成のものであってもよく、それらの収容部を別々に構成するブラックインク用タンクとカラーインク用タンクであってもよい。さらに、カラーインク用タンクは、例えば、シアン、マゼンタ、イエローのインクの収容部を一体的に備えた一体構成のものであってもよく、あるいは、それぞれの収容部を単独に構成する別体構成のものであってもよい。また、インクタンク１２は、記録ヘッド８に対して着脱可能な構成の他、記録ヘッド８と一体的に構成されてもよい。さらに、記録ヘッド８とキャリッジ９は一体的に構成することもできる。
【００２６】
本例においては、ブラックインクとして顔料インクを用い、またカラーインクとしてシアン，マゼンタ，イエローの染料インクを用いる。顔料インクは、顔料を高分子分散剤に分散させた顔料分散液を、水溶性溶剤に溶解させることによって生成できる。また、染料インクは、各種の水溶性染料を、水もしくは水と有機溶剤との混合液に溶解させることによって生成できる。前述したように、染料インクによる記録画像は、耐光性等の画像堅牢性において若干劣る傾向があり、一方、顔料インクは、耐水性等の画像堅牢性において染料インクより優れた特性をもつ。また、顔料は、発色剤の粒子が染料に比べて大きいため、普通紙等の記録媒体の繊維の奥に浸透し難く、その表面近くで停滞する。そのため、記録濃度が濃くなり、周囲への浸透も少なくなって、画像の境界がくっきりと明瞭に記録される。
【００２７】
記録位置において、記録ヘッド８と対向する位置に設けられたプラテン１３は、記録シート２を図１中下側の面から支持する。そして、この記録位置において、記録ヘッド８が主走査方向に移動しつつインクを吐出する記録動作と、記録シート２を副走査方向に所定量搬送する搬送動作と、を交互に繰り返すことにより、記録シート２の図１中上側の面に画像が順次記録される。この記録位置において画像が記録された記録シート２は、排紙ローラ１４と拍車１５との間に挟持されて、図１中の左方に搬送される。その記録シートは、排紙フラッパ１６の位置に応じて、排紙スタック部１７または両面記録反転部に送られる。
【００２８】
記録シート２の一方の面にのみ画像を記録する片面記録モードのときには、排紙フラッパ１６が図１中点線の位置に移動し、表面に画像が記録された記録シート２は、この排紙フラッパ１６に案内されて排紙スタック部１７上に送られて順次積載される。
【００２９】
一方、記録シート２の両面に画像を記録する両面記録モードのときには、排紙フラッパ１６が図１中実線の位置に移動し、表面に画像が記録された記録シート２は、この排紙フラッパ１６に案内されて、両面記録反転部の反転外ガイド１８と反転内ガイド１９との間に形成された空間に案内される。その後、その記録シート２は、中間ローラ２０と中間拍車２１との間に挟持されて搬送され、反転フラッパ２５を図１中実線の位置に押上げてから、正逆転可能な反転ローラ２２の矢印Ａ１方向の正転と反転拍車２２との間に挟持されて、反転スタック部２４に搬送される。記録シート２が反転スタック部２４に搬送された時、その記録シート２の後端の一部は、反転ローラ２２と反転拍車２３との間に挟持されている。その後、反転ローラ２２の矢印Ａ２方向の逆転動作により、排紙フラッパ１６が図１中点線の位置に移動し、反転プラッパ２５は、その自重により図１中点線の位置に下がる。そのため、反転スタック部２４に搬送された記録シート２は、図１中点線の位置の反転フラッパ２５に案内されて、略Ｓ字状をなす搬送経路２６内に導かれる。その搬送経路２６を経た記録シート２は、再び、搬送ローラ６とピンチローラ７との間に挟持されて記録位置まで搬送される。
【００３０】
その記録シート２は、搬送経路２６を経由することによって、図１中上下の面が反転されることになる。このように反転された記録シート２は、再び記録ヘッド８により画像が記録される。そして、両面に画像が記録された記録シート２は、排紙ローラ１４と拍車１５との間に挟持されて搬送され、そして図１中点線の位置にある排紙フラッパ１６に案内されて排紙スタック部１７上に順次積載される。
【００３１】
両面記録を行う場合は、後述するように、最初に画像が記録される記録シート２の面（以下、「表面」という）の記録画像と各種ローラ等との接触を考慮し、その表面のインクが極力擦れ取られないように記録を実施する。両面記録モードにおいては、上述したように、記録シート２の表面に画像を記録した後に、その記録シート２を反転させてから、その表面と反対側の面（以下、「裏面」という）に画像を記録する。
【００３２】
図２は、図１のインクジェット記録装置における制御回路の概略構成図ある。  
１０１は、本例のインクジェット記録装置の記録動作を制御するための記録制御部である。１０２は、制御記録部１０１により実行される各種プログラム等を格納する記憶手段としてのＲＯＭである。１０３は、記録のためにホスト装置１０４から送られてくるデータを一時格納するための記憶手段としてのＲＡＭである。１０５は、記録制御部１０１に各種記録モードの切替え操作等を指示するための入力部である。詳しくは、両面記録モードの指定が可能なように構成されている。１０６は給紙スタッタ部１からの記録シート２の給紙動作を行う給紙モータ、１０７は搬送経路２６における記録シート２の搬送動作を行う搬送モータ、１０８はキャリッジ９を主走査方向へ移動させるキャリッジモータであり、１０９、１１０、１１１は、それらのドライバである。１１２は記録信号に基づき記録ヘッド８を駆動する記録ヘッド用ドライバ、１１４は記録ヘッド８の温度を検出する温度検出手段である。記録制御部１０１は、温度検出手段１１４からの検出情報に基づき、記録ヘッド用ドライバ１１２に送る記録信号を変化させることによって、記録ヘッド８の温度を考慮して常に安定的にインクを吐出させる。
【００３３】
次に、図３に基づいて、本発明による片面記録モード時と両面記録モード時の記録動作の手順について説明する。
【００３４】
記録装置のパワーオンにより、まずはステップＳ１０１において、記録装置の記録モードが自動的に片面記録モードとなる。その後、入力部１０５を介して両面記録モードが選択されたか否かをステップＳ１０２にて判断する。ステップＳ１０２において両面記録モードが選択されない場合にはステップＳ１０３に進み、予め設定されているＨＳ（ハイスピード）、ＨＱ（ハイクオリティー）等の片面記録モード時の通常記録が実施される。この時は、記録シート２の種類や記録情報に応じて顔料のブラックインクが使用されることがある。つまり、片面記録モードにおいては、顔料のブラックインクと染料のカラーインクは、記録画像に応じて適宜使用される。染料インクのみが使用されることもあれば、顔料インクのみが使用されることもあり、更には、顔料インクと染料インクの両方が使用されることもある。
【００３５】
一方、ステップＳ１０２にて両面記録モードが選択された場合には、ステップＳ１０４に進み両面記録モードが設定される。ただし、その後のステップＳ１０５においても、片面記録モード時の通常記録か両面記録モードでの記録かの選択が入力部１０５を介して可能となっている。ステップＳ１０５において両面記録モードを選択しない場合には、ステップＳ１０３に進み、予め設定されているＨＳ、ＨＱ等の片面記録モード時の通常記録が実施される。
【００３６】
ステップＳ１０５において両面記録モードを選択した場合にはステップＳ１０６に進み、まずは記録シート２の表面に画像を記録する。その際には、記録シート２の種類や記録情報の如何に拘わらず、顔料のブラックインクは用いない。黒色を記録する場合には、顔料のブラックインクを用いる代わりに、染料のカラーインク（シアン、マゼンタ、イエロー）を用いて、いわゆるプロセスブラックによって黒色を記録する。そして、記録シート２の表面の記録が終了（ステップ１０７）した後、前述したように、記録シート２を両面記録反転部に搬送して、それを反転させる（ステップＳ１０８）。
【００３７】
ここで、両面記録モードにおいて記録シート２の表面を記録するにあたり、顔料インクを使用せず、染料インクのみを使用する理由について述べる。両面記録を行う場合、画像が記録された記録シート２の表面は、両面記録反転部の各構成部分や搬送ローラ６等と接触して擦られる。このような記録シート表面が擦られやすい状況下において、耐擦過性の悪い顔料インクを使用して記録を行うと、顔料インクが擦り落とされる可能性が高い。すなわち、顔料インクの顔料粒子は、染料粒子に比べて大きく、普通紙等の記録媒体の繊維の奥に浸透し難く、記録媒体表面近くで停滞するため、ローラ等との接触によって擦り落とされやすい。顔料が擦り落とされると、その記録シートが汚れるばかりではなく、装置内部を汚染してしまう。一方、染料インクの染料は、記録シート２の繊維の奥に浸透しやすいため、ローラ等と接触しても擦り落とされる可能性が低く。そこで、本実施形態では、両面記録モードにおいて記録シート２の表面の記録の際には、顔料のブラックインクを用いず、染料インクのみを用いるようにしているのである。
【００３８】
その後、記録シート２を反転させてから、その裏面に画像を記録するためにステップＳ１０３に進む。記録シート２の裏面に画像を記録する際には、記録シート２の種類や記録情報に応じて顔料のブラックインクが使用される。つまり、顔料のブラックインクを用いて、予め設定されているＨＳ、ＨＱ等の通常記録を実施する。
【００３９】
ここで、両面記録モードにおいて記録シート２の裏面を記録するにあたり、顔料インクの使用を制限しないのは以下の理由による。すなわち、記録シート２の裏面に画像を記録した後は、記録シートの反転動作が存在しないため、その裏面がローラ等によって擦れることがなく、顔料インクを用いても擦り落とされることがない。このような理由で、記録シート２の裏面を記録する際には、染料インクと顔料インクの両方を使用可能にしているのである。
【００４０】
以上説明した第１の実施形態によれば、両面記録モードにおいて、画像の記録後に擦られる可能性のある記録シート２の表面に画像を記録する際には、顔料インクを使用せずに染料インクのみを使用し、また、その裏面に画像を記録する際には顔料インクの使用を制限しないようにしている。この結果、記録シート２の両面のそれぞれに、インクが擦れ落ちることなく、しかも記録濃度を極力薄くすることなく高品位の画像を記録することができる。
【００４１】
（第２の実施形態）
図４は、本発明の第２の実施形態における記録動作を説明するためのフローチャートである。前述した図３と同様の部分には、同一符号を付して説明を省略する。
【００４２】
この第２の実施形態では、ステップＳ１０６Ａが追加されている点において上記第１の実施形態と異なる。すなわち、両面記録モードにおいて記録シート２の表面に画像を記録するに際し、その表面におけるローラ等との接触位置を考慮して、その表面の一部の特定部分（ローラと接触する位置を含む部分）を染料インクのみによって記録するか否かを選択する。すなわち、記録シート２の表面に画像を記録する際に、上記特定部分を染料インクのみによって記録する特殊両面記録モード（「第２の両面記録モード」ともいう）を選択するか否かを判定し（ステップＳ１０６Ａ）、特殊両面記録モードが選択された場合には、その特定部分に関しては顔料インクを用いずに染料インクのみによって画像を記録し、その特定部分以外の部分（非特定部分）に関しては顔料インクと染料インクを併用して画像を記録する。なお、染料インクのみによって記録する特定部分は、ローラ等によって接触するおそれがある部分である。このように、少なくともローラ等と接触するおそれのある特定部分に関してのみ、顔料インクを用いずに画像を記録することにより、ローラ等との接触によるインクの擦れ落ちを回避することができる。
【００４３】
なお、記録シート２の表面の特定部分を、顔料インクを用いず染料インクのみを使用して記録する特殊両面記録モードを実行するか否かの選択は、例えば、ユーザが表示画面を通して行うことができる。すなわち、記録装置において、予め入力されている両面記録反転部の各部分や搬送ローラ６等の位置データと、記録シート２のサイズ等のデータとの関係から、ローラ等との接触するおそれのある記録シート２の表面上の特定部分の位置を求めて表示画面に表示する。ユーザは、その表示内容と記録すべき画像との関係から、その特定部分を、顔料インクを用いずに記録する特殊両面記録モードを実行するか否かを選択して、その結果を入力部１０５から入力する。顔料インクを用いずに特定部分を記録する特殊モードが選択されたときはステップＳ１０６Ｂに進み、特定部分を染料インクのみで記録し且つ非特定部分を顔料インクと染料インクの併用で記録する「特殊両面記録モード」にて記録シートの表面に対して記録を行い（ステップＳ１０６Ｂ）、特殊両面記録モードが選択されなかったときにはステップＳ１０３にて通常記録を実施する。
【００４４】
また、上記の特定部分は、必ず、顔料インクを用いずに記録するように自動設定するようにしてもよい。
【００４５】
以上説明した第２の実施形態によれば、インクが擦れ落ちる可能性の高い部分（記録シートの表面の特定部分）に対しては顔料インクを用いず記録を行っているため、顔料インクの擦れ落ちを抑制でき、また、表面の非特定部分には顔料インクを用いて記録を行っているため、第１の実施形態に比べ、表面における記録濃度をより低減させずに済む。
【００４６】
（第３の実施形態）
この第３の実施形態では、第１の実施形態で説明した両面記録モード（第１の両面記録モード）と第２の実施形態で説明した両面記録モード（第２の両面記録モード）とを選択可能に構成した点を特徴とする。なお、この両面記録モードの選択は、インクジェット記録装置における入力部１０５において実行される。
【００４７】
この第３の実施形態によれば、ユーザニーズに適合した両面記録モードの選択が可能となる。すなわち、記録装置内部や記録シート表面の汚染抑制を重視するのであれば、第１の両面記録モードを選択すればよいし、一方、記録シートに記録される画像濃度を重視するのであれば、第２の両面記録モードを選択すればよい。
【００４８】
なお、第１の両面記録モードの場合、記録シートの表面における黒色（Ｋ）部分は染料ＣＭＹドットのみで形成されるため、顔料Ｋドットと染料ＣＭＹドットが混在することによる黒色の不均一性は生じない。つまり、表面の黒色部分の均一性に関しては優れたものとなる。その反面、記録シートの裏面における黒色部分は顔料Ｋにより形成されるため、表面と裏面それぞれの黒色部分の画質が異なる。一方、第２の両面記録モードの場合、記録シートの表面における黒色（Ｋ）部分は顔料Ｋドットと染料ＣＭＹドットの混在により形成されるため、上記第１の両面記録モードに比べ、表面の黒色部分における均一性の点では劣る。しかし、この第２の両面記録モードの場合、記録シートの表面の特定部分における黒色（Ｋ）部分は染料ＣＭＹドットのみで形成されるものの、非特定部分における黒色部分は顔料Ｋドットと染料ＣＭＹドットの混在により形成され、そして、記録シートの裏面における黒色部分は顔料Ｋにより形成されるため、表面と裏面それぞれの黒色部分の画質は近似したものとなる。そこで、表面の黒色の均一性を重視する場合には第１の両面記録モードを選択し、一方、表面と裏面における黒色画質を近似化させることを重視する場合には第２の両面記録モードを選択するようにしてもよい。
【００４９】
（第４の実施形態）
上記第１〜第３の実施形態では、記録シートの表面の全域あるいは一部分における黒色箇所を染料カラーインク（染料ＣＭＹインク）による混色（プロセスブラック）で記録しているが、本実施形態では、プロセスブラックで黒色箇所を記録することに代えて、染料ブラックインク用いて黒色箇所を記録するようにしている。
【００５０】
すなわち、この第４の実施形態では、ブラックインクとして、主として顔料を含有する顔料ブラックインクの他に、主として染料を含有する染料ブラックインクを使用できるよう構成するのである。この形態の場合、上述した第１の実施形態における複数種のインクタンク（顔料Ｋ、染料Ｃ、染料Ｍ、染料Ｙのタンク）および複数種の記録ヘッド（顔料Ｋ，染料Ｃ、染料Ｍ、染料Ｙのヘッド）に、染料ブラックインクを収容するインクタンクと、そのインクタンク内の染料ブラックインクを吐出可能な記録ヘッドを追加すればよい。
【００５１】
そして、両面記録モードにおいては、記録シート２の表面に対する記録に際し、顔料ブラックインクを用いず染料ブラックインクのみを用いるようにし、一方、記録シートの裏面に対する記録に際し、顔料ブラックインクを用いるようにする。この構成によれば、記録シートの表面からの顔料インクの擦れ落ちを回避することができることに加え、プロセスブラックのように色を重ね合わせることがないため、ドットの位置ズレによる色付き黒の発生を防止できる。更に、インク付与量が多くなりやすい両面記録においてプロセスブラックを適用すると、インク付与量が更に多くなってしまうが、本実施形態では、染料ブラックインクを適用するので、第１の実施形態に比べ、インク総付与量を低減できる効果もある。
【００５２】
（第５の実施形態）
上記第１、４の実施形態では、両面記録モードにおいて、記録シートの表面に対する記録の際には顔料インクを使用せずに染料インクのみを使用し、一方、裏面に対する記録の際には顔料インクを使用している。しかしながら、これらの形態の場合、表面と裏面の間で顔料インクの使用・非使用を切換える必要性が生じる。そこで、本実施形態では、このような表面・裏面の間での顔料インクの使用・非使用の切換え動作を不要とし、両面モードにおいて顔料インクを使用しないよう構成している。
【００５３】
すなわち、片面記録モードの場合、顔料インクと染料インクを併用して記録するのに対し、両面記録モードの場合、顔料インクの使用を制限するのである。
【００５４】
この構成によれば、両面記録を行ったとしても、記録シートからの顔料インクの擦れ落ちを回避することができることに加え、表面と裏面との間で黒色部分を同じようにすることができる。
【００５５】
（第６の実施形態）
上記第１、第４および第５の実施形態では、両面記録モードにおいて、少なくとも表面を記録する際には、耐擦過性の劣る顔料インクの使用を制限している。しかしながら、これらの実施形態のように、その記録シート２の表面に対する記録に際して、顔料インクを完全に不使用せずとも、顔料インクの使用量を低減するだけでも、記録シート２の表面からの顔料インクの擦れ落ちの程度を小さく抑える効果はある。要は、両面記録モードにおいて、先に画像が記録される記録シートの面の記録に際して、顔料インクの使用量を少なく制限できればよい。
【００５６】
そこで、本実施形態では、両面記録モードにおいて、少なくとも表面を記録する際（つまり、表面の記録の際、あるいは、表面と裏面の記録の際）には、顔料インクの使用量を減らすよう構成している。例えば、先に画像が記録される記録シートの面に対して、通常は顔料インクにて記録される箇所の一部分を、染料インクにて記録するようにすればよい。詳しくは、顔料Ｋドットで本来記録されるべきドット群の一部を染料ドット（染料ブラックドット、あるいは染料ＣＭＹドット）で置き換えるのである。その際、記録濃度が保たれるようにドットの置き換えを行うことが好ましい。
【００５７】
（他の実施形態）
上述した第１〜第５の実施形態では、両面記録モードの指定を記録装置側で行う形態、詳しくは、インクジェット記録装置における入力部１０５において両面記録モードの指定を行う形態について説明したが、本発明はこの形態に限られるものではない。例えば、インクジェット記録装置と接続されるホスト装置１０４におけるプリンタドライバのＵＩ（ユーザインターフェース）上から両面記録モードの指定を行う形態であってもよい。
【００５８】
ホスト装置１０４におけるプリンタドライバのＵＩ（ユーザインターフェース）上から両面記録モードの指定を行う形態の場合、ホスト装置側で両面記録モードに適合したデータ（上記第１〜第５の実施形態で説明した記録形態が実現できるデータ）を作成し、この作成したデータをインクジェット記録装置に送信することが好ましい。例えば、第１の実施形態であれば、顔料ブラックインクを用いずに染料カラーインクだけで表面の記録がなされるよう、表面の黒色部分に対応するデータとして、顔料Ｋデータではなく染料ＣＭＹデータを作成する。また、第４の実施形態であれば、顔料インクを用いずに染料インクだけで表面および裏面の両面に対する記録がなされるよう、表面および裏面の両面における黒色部分に対応するデータとして、顔料Ｋデータではなく染料Ｋデータを作成する。
【００５９】
また、本発明では、記録に用いる顔料インクの色は、上述した実施形態のような黒色のみに特定されず任意であり、また記録に用いる染料インクの色も上述した実施形態のみに特定されず任意である。
【００６０】
また、本発明では、インクとして顔料の含有量が異なる複数種のインクを用い、そして両面記録モードにおいて先に画像を記録する記録シートの面に対しては、顔料の含有量が少ないインクを用いて画像を記録することも可能である。また、両面記録モードにおいて先に画像が記録される記録シートの面に限らず、画像の記録後に周辺機器等と接触する可能性がある記録シートの面に対して、顔料の含有量の少ないインクを用いて画像を記録するようにしてもよい。
【００６１】
また、本発明は、上述したようなシリアルスキャンタイプの記録装置のみに限定されず、記録媒体の記録領域の全幅に渡って延在する記録ヘッドを用いる、いわゆるフルラインタイプ等、種々の記録装置に広く適用することができる。また、本発明は、少なくとも１種類の顔料インクおよび少なくとも１種類の染料インクを含む複数種のインクを用い、両面記録モードを含む複数の記録モードによって記録媒体に画像を記録する種々の記録装置において広く適用することができる。
【００６２】
また、本発明は、前述した実施形態の機能を実現するソフトウェアのプログラム（実施形態では図に示すフローチャートに対応したプログラム）を、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００６３】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６４】
その場合、プログラムの機能を有していれば、オブジェクトコード、インタプリタにより実行されるプログラム、ＯＳに供給するスクリプトデータ等、プログラムの形態を問わない。
【００６５】
プログラムコードを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などを用いることができる。
【００６６】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６８】
また、コンピュータが読出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【００６９】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００７０】
【図１】本発明の第１の実施形態におけるインクジェット記録装置の要部の概略構成を説明するための断面図である。
【図２】図１のインクジェット記録装置の制御用回路のブロック構成図である。
【図３】本発明の第１の実施形態における記録モード選択時の制御を説明するためのフローチャートである。
【図４】本発明の第２の実施形態における記録モード選択時の制御を説明するためのフローチャートである。
【符号の説明】
【００７１】
１  給紙スタッカ部
２  記録シート（記録媒体）
３  給紙ローラ
４  上ガイド
５  下ガイド
６  搬送ローラ
７  ピンチローラ
８  記録ヘッド
９  キャリッジ
１０  ガイド軸
１１  ガイドレール
１２  インクタンク
１３  プラテン
１４  排紙ローラ
１５  拍車
１６  排紙フラッパ
１７  排紙スタック部
１８  反転外ガイド
１９  反転内ガイド
２０  中間ローラ
２１  中間拍車
２２  反転ローラ
２３  反転拍車
２４  反転スタック部
２５  反転フラッパ
２６  搬送経路
１０１  制御記録部
１０２  ＲＯＭ
１０３  ＲＡＭ
１０４  ホスト装置
１０５  入力部
１０６  給紙モータ
１０７  搬送モータ
１０８  キャリッジモータ
１０９，１１０，１１１，１１２  ドライバ
１１４  温度検出手段
【図１】
2005035223.tif 000003
【図２】
2005035223.tif 000004
【図３】
2005035223.tif 000005
【図４】
2005035223.tif 000006